(57)【特許請求の範囲】
【請求項１】
撮影室に入室した被写体の背面側および床面側から所定の彩度と明度の背面光を照射する照明装置と、前記背面光の照射状態において被写体の全身画像を撮影するカメラと、このカメラで撮影した被写体画像とユーザが選択した背景画像とをクロマキー合成法を用いて合成する画像処理手段を有する制御装置とを備えた合成画像作成装置において、
前記照明装置が、前記背面光を被写体に照射する面光源装置と、この面光源装置から発する背面光の明るさを制御する調光装置とから構成され、
前記面光源装置が、
透光性素材で形成され、前記被写体に対し背面光を照射する面を発光面とする所定厚さの導光板と、この導光板の前記発光面と対向する面に形成された反射板と、前記導光板の２側面方向から所定の色の光を入射する複数の光源と、前記光源から入射された光を前記反射板との間で反射する反射面を有し、前記反射板で反射した光を前記反射面が形成されていない透過面から前記発光面に透過させる反射パターンとで構成され、前記反射パターンの前記反射面の密度が前記光源からの入射光の入射位置から前記発光面の中心方向に向かって密から粗になるように形成されていることを特徴とする合成画像作成装置。
【発明の詳細な説明】
【０００１】
【発明の属する技術分野】
本発明は、人物等の被写体の画像と予め用意された各種の背景画像との合成画像を作成し、必要に応じてシール等の出力媒体に印刷して出力する合成画像作成装置に係り、特に、クロマキー合成法によって合成画像を作成する際の被写体背面光源の構成に関するものである。
【０００２】
【従来の技術】
従来において、街頭で見受けられる合成画像プリント装置として、例えば実用新案登録第３０３４０１２号に記載されたものが知られている。
【０００３】
この従来の装置は、撮影した被写体の上半身画像または顔画像に背景画像、枠画像、キャラクタなどの別途用意した額縁画像を合成してプリントシールの形態でユーザに提供するものである。
【０００４】
しかし、この従来の装置にあっては、ユーザ（被写体）の画像として、上半身または顔部分のみを撮影する構成となっているため、全身で所望のポーズをとった面白味のある画像をプリント出力することができないという問題があった。
【０００５】
そこで、本発明の出願人は、被写体の頭部から足元までの全身画像を撮影し、しかもその全身画像の輪郭をクロマキー処理によって抽出し、その全身画像を背景画像の任意の位置に合成してプリント出力する合成画像プリント装置を提案している（特願平１０−３７４８７９号）。
【０００６】
この装置においては、被写体の背面側に青色の面発光源を置き、被写体の正面方向から当てた照明光によって形成される被写体の影の濃さを被写体の輪郭を精度良く抽出できる程度に低減または消去し、影のないまたは被写体の輪郭の抽出に影の濃さが無視できる程度の被写体画像をカメラで撮影可能にしている。被写体の影が形成されていた場合、被写体の輪郭を精度良く抽出することができないからである。従って、このような合成画像プリント装置にあっては、被写体の正面側から適切な明るさの照明光が照射されていること、および被写体の背面側に被写体自身の影の濃さを被写体の輪郭を精度良く抽出できる程度に低減または消去可能な程度の明るさの青色背面光が照射されていることが必要になる。
【０００７】
【発明が解決しようとする課題】
ところが、従来の装置にあっては、被写体の背面側に形成される影の濃さを被写体の輪郭を精度良く抽出できる程度に低減または消すための背面光を、単一の青色背面光源によって構成していたため、この青色背面光源からの青色背面光と同じような色と明るさの被写体または被写体が所持している物（服、所持品など）は「背景」と見なされてしまい、このような部分の輪郭は抽出されない。その結果、このような部分は透明、すなわち存在しないものと同じになり、予め画像メモリ内に用意した風景写真などの背景画像と合成した場合、前記のような被写体の青色部分には風景写真などの一部が上書きされたように合成されてしまうという問題があった。
【０００８】
本発明は、このような問題を解決しようとするものであり、所持品を含む被写体の色に関係なく、欠損部分あるいは欠落部分がない合成画像を作成することができる合成画像作成装置を提供することにある。
【０００９】
【課題を解決するための手段】
前記目的を達成するために、本発明は、撮影室に入室した被写体の背面側および床面側から所定の彩度と明度の背面光を照射する照明装置と、前記背面光の照射状態において被写体の全身画像を撮影するカメラと、このカメラで撮影した被写体画像とユーザが選択した背景画像とをクロマキー合成法を用いて合成する画像処理手段を有する制御装置とを備えた合成画像作成装置において、前記照明装置が、前記背面光を被写体に照射する面光源装置と、この面光源装置から発する背面光の明るさを制御する調光装置とから構成され、
前記面光源装置が、
透光性素材で形成され、前記被写体に対し背面光を照射する面を発光面とする所定厚さの導光板と、この導光板の前記発光面と対向する面に形成された反射板と、前記導光板の２側面方向から所定の色の光を入射する複数の光源と、前記光源から入射された光を前記反射板との間で反射する反射面を有し、前記反射板で反射した光を前記反射面が形成されていない透過面から前記発光面に透過させる反射パターンとで構成され、前記反射パターンの前記反射面の密度が前記光源からの入射光の入射位置から前記発光面の中心方向に向かって密から粗になるように形成されていることを特徴とする。
【００１１】
【発明の実施の形態】
以下、図面を参照して本発明の実施形態を詳細に説明する。
図１は、本発明の合成画像作成装置の一実施形態を示す斜視図、図２は図１の矢印Ａ方向から見た側面図であり、本体部筐体１と、背面部筐体２と、床板３と、屋根部４とから構成され、本体部筐体１と背面部筐体２とは床板３および屋根部４の結合部材によって所定間隔の距離を隔てて結合されている。本体部筐体１と背面部筐体２との間の空間は、被写体が背面部筐体２に入室する通路５となるものであり、図の奥行き方向に通過可能となっている。
【００１２】
図３は本体部筐体１の外観を示す斜視図であり、図４は正面図であり、本体部筐体１には、被写体の全身画像が撮影可能なカメラ７、撮影した被写体画像を表示するディスプレイ装置８と、撮影した被写体画像とユーザが選択した風景写真などの背景画像とをクロマキー合成法を用いて合成する画像処理手段を備えた制御装置９と、合成画像を印刷出力するプリンタ１０と、被写体の正面に対して所定の明るさの照明光を照射する主照明装置１１Ａ，１１Ｂ，１１Ｃと、課金装置１２と、スピーカ１３が収容されている。なお、この本体部筐体１は底面に配置されたキャスタロール１４によって移動可能になっている。また、ディスプレイ装置８の表面には、タッチパネルが設けられ、表示画面に表示させたメニューやアイコンの位置を押圧または接触することによって、その位置のメニューやアイコンに割り当てた機能を起動することができるようになっている。
【００１３】
一方、背面部筐体２には、図５（ａ）の平面図、同図（ｂ）の側面図に示すように、前記主照明装置１１Ａ〜１１Ｃからの照明光が照射される一側部が開口し、撮影対象の被写体２０を収容可能な空間を有する撮影室１８と、この撮影室１８に入室した被写体２０の背面側および床面側から所定の彩度と明度の背面光を照射する従照明装置１９Ａ，１９Ｂとが設けられている。この従照明装置１９Ａ，１９Ｂは、クロマキー合成法を用いて被写体画像の輪郭を抽出するために、例えば青色光や緑色光を選択的に、またはこれらの合成色の光を一様に発光する面発光体で構成され、被写体２０の背面側および足元の床面に生じる影を消去する。なお、従照明装置１９Ａ，１９Ｂは任意のサイズの面発光体を組み合わせて構成することができる。また、面発光体はそれ自体が発光するものであっても良く、また面を構成する部材と発光する部材とからなるものでも良い。
【００１４】
以下、従照明装置１９Ａ，１９Ｂについて詳細に説明する。
図６は、従照明装置１９Ａ，１９Ｂの第１の具体例を示す図であり、蛍光管を径方向に切断した場合の断面図である。この例においては、発光色の異なる蛍光管等の２つの光源１９１，１９２を背面光照射方向Ｂと同方向に並べ、これらの光源１９１，１９２から発せられる光を反射板１９３で反射させるユニットを２列設け、これらの各ユニットの反射板１９３で反射された光を、対向して設けた反射板１９４で破線の矢印で示すように反射させて散乱させたうえ、背面光照射方向に導き、その背面光照射出口面に設けた発光面１９５で面全体の明るさと色を一様の光にして被写体２０に照射するように構成されている。発光面１９５は、例えば「つや消し乳白色」の樹脂部材で構成することができる。また、各光源１９１，１９２は、蛍光管自身が固有の色で発光するものであってもよいし、蛍光管の周囲に固有の色のフィルタを巻いて構成するものであってもよい。これらの反射板１９３，１９４および発光面９５は、面光源化手段を構成するものである。
【００１５】
図７は、光源１９１，１９２の点灯回路の例を示す回路図であり、各光源１９１，１９２を選択的に点灯させるためのスイッチ７０１，７０２と、明るさを調節するインバータ７０３，７０４が設けられ、各光源１９１，１９２を個別に、または同時にスイッチ７０１，７０２で選択して点灯させ、光源１９１のもの発光色または光源１９１と１９２の合成色の光を発光させ、かつそれらの明るさをインバータ７０３，７０４に個別に調光信号を入力することによって制御するように構成されている。この場合、明るさは、被写体２０の服装等に、光源からの色が写り込まない程度が望ましい。また、点灯に際しては、突入電流を考慮し、各光源１９１，１９２の点灯駆動タイミングを例えば０．５秒程度ずらすのが望ましい。
【００１６】
図８は、従照明装置の第２の例を示す断面図と回路図を併せて示したものであり、図７と異なるのは、光源１９１，１９２を照射方向と垂直な方向に並べ、これらの光源１９１，１９２から発せられた光（直接光）と反射板１９４で反射させた反射光とを減光フィルタ１９６で減光させた後、発光面１９５から被写体２０に照射するようにしたことである。この例においても、調光用のインバータ８０１，８０２と選択駆動用のスイッチ８０３，８０４が光源単位で設けられている。
【００１７】
以上の図６〜図８の構成は、従照明装置１９Ａ、１９Ｂの両方に適用可能であるが、大きな面積を必要とする従照明装置１９Ａに適用するのが好ましい。すなわち、従照明装置１９Ａは被写体２０の高さと横幅をカバーする範囲のサイズが必要になるので、図６および図９のように、蛍光管を用いた構成の方がコストが安く、大きな面積を確保することができるからである。これに対し、奥行き方向の大きさが必要になるので、床面の従照明装置１９Ｂに適用した場合、床面からの高さが高くなって床面との間に歩行障害になる段差が生じる。
【００１８】
図９は、床面の従照明装置１９Ｂに適用して好適な具体例を示す図であり、蛍光管を径方向に切断した場合の断面図である。この例においては、所定の厚さを有する導光板９０１の２側面に、発光色の異なる蛍光管９０２，９０３および９０４，９０５を配置し、これらの蛍光管９０２〜９０５から発せられた光を導光板９０１によって発光面９０７に一様に導き、被写体２０に照射するように構成したものである。蛍光管９０２〜９０５は、反射箱９０８内に収納され、導光板９０１に光を集中するようになっている。
【００１９】
導光板９０１の発光面９０７には、図１１の平面図に示すように、縁から中心に向かって密度が密から粗になる反射兼遮光用のパターン９０９が印刷してあり、発光面全体で均一な光量が得られる様にしてある。すなわち、蛍光管９０２，９０３および９０４，９０５に近い位置では、光量が多いため、図１１に示すように、反射面兼遮光面１２０２の密度が高く（図１１では透過面１２０１の密度が低くなっているように図示）、中心に近づくにつれて、反射面兼遮光面１２０２の密度が低く（図１１では透過面１２０１の密度が高くなっているように図示）なるパターンが印刷され、光源からの距離に関係無く、一様な明るさの光を発光面９０７から出力できるように構成されている。なお、導光板９０１はアクリルなどの透明な素材である。この構成においては、反射板９０６と発光面９０７側のパターン９０９で反射を繰り返し、導光板９０１の端から中央まで均一な光が発光面９０７側で得られる。反射箱９０８は導光板９０１に接する部分に開口部を有し、蛍光管９０２，９０３および９０４，９０５の光を導光板９０１の方向にのみ集中して照射する。蛍光管９０２と９０４は同じ色の光（例えば、青色光）を発し、他の蛍光管９０３と９０５は蛍光管９０２と９０４とは異なる同じ色の光（例えば緑色光）を発するものである。
【００２０】
このように構成された光源においても、図６および図８で示したのと同様な点灯回路によって、各蛍光管の点灯制御が行われる。
【００２１】
図１０は、他の具体例を示す図であり、それ自身で固有の発光色の光を発しない蛍光管１１０１，１１０２を反射箱１１０３、１１０４内に設け、この反射箱１１０３，１１０４の開口部にそれぞれ色の異なる色フィルタ１１０５，１１０６を設け、この色フィルタ１１０５，１１０６によって蛍光管１１０１，１１０２から発せられる光の色を変更し、導光板１１０８の各側面に導き、反射板１１０７と反射兼遮光用のパターン１１１０によって導光板１１０８の発光面１１０９に面全体で一様な明るさの光を導き、被写体２０に照射するように構成したものである。
【００２２】
この構成においても、蛍光管１１０１と１１０２は前述のような点灯回路によって、同時にまたは個別に点灯され、各光量がインバータによって制御される。この図１０の構成においては、発光色を変更するのにフィルタを用いているため、図９の例に比べて構成がコンパクトなものになり、しかも電力使用量が少なくて済むという利点がある。
【００２３】
なお、画像合成の仕方については、本発明の出願人が先に出願した特願平１０−３７４８７９号に記載しているような方法で被写体画像と背景画像の合成を行い、必要に応じて、プリンタからプリントシールの出力形式で出力する。また、プリントシールに印刷して出力するのと同時に、フロッピィディスク等の媒体に出力する。なお、画像合成の方法については、前記特願平１０−３７４８７９号に詳しく記載してあるので、ここでの説明は省略する。
【００２４】
以上のような従照明装置１９Ａ，１９Ｂを用い、自動または手動で色の異なる背面光を切り替えて、各背面光の照射状態における被写体画像の輪郭を抽出し、その輪郭の論理和を求めることによって、いずれかの背面光と同じような被服であったとしても、他の色の背面光で輪郭が正しく抽出され、被服の一部が欠落した合成画像になってしまうことを防止できる。
【００２５】
または、色の異なる背面光のうち、いずれか一方の色に近い色の被服であった場合、手動で他の色の背面光のみの点灯状態になるように切り替え、撮影を行うことにより、被写体の輪郭を正しく抽出することができ、被服の一部が欠落した合成画像になってしまうことを防止できる。
【００２６】
同様に、色の異なる背面光のうち、どちらの色にも近い色の被服であった場合、２色の背面光を合成するように指示し、被服との色バランスを考慮しながら２色の背面光を合成して撮影を行うことにより、被写体の輪郭を正しく抽出することができ、被服の一部が欠落した合成画像になってしまうことを防止できる。
【００２７】
なお、本発明は、合成画像のプリント出力装置に限定されるものではなく、クロマキー合成法を用いて画像合成を行う場合の光源に全て適用可能なことは言うまでもない。
【００２８】
【発明の効果】
以上、説明したように、本発明によれば、所持品を含む被写体の色に関係なく、欠損部分あるいは欠落部分がない合成画像を作成することができるという効果がある。
【図面の簡単な説明】
【図１】本発明の合成画像作成装置の一実施形態を示す斜視図である。
【図２】図１の矢印Ａ方向から見た側面図である。
【図３】本体部筐体の外観を示す斜視図である。
【図４】本体部筐体の正面図である。
【図５】背面部筐体の構成を示す平面図および側面図である。
【図６】従照明装置の第１の例を示す断面図である。
【図７】従照明装置の点灯回路構成例を示す回路図である。
【図８】従照明装置の第２の例を示す断面図である。
【図９】従照明装置の第３の例を示す断面図である。
【図１０】従照明装置の第４の例を示す断面図である。
【図１１】反射兼遮光用パターンの例を示す平面図である。
【符号の説明】
１…本体部筐体、２…背面部筐体、３…床板、４…屋根部、５…通路、７…カメラ、８…ディスプレイ装置、９…制御装置、１０…プリンタ、１１Ａ〜１１Ｃ…主照明装置、１５，１６…扉、１８…撮影室、１９Ａ，１９Ｂ…従照明装置、２０…被写体、１９１，１９２…蛍光管、１９３，１９４…反射板、９０１…導光板、１１０５、１１０６…フィルタ。
【図１】
0003561871.tif 000002
【図２】
0003561871.tif 000003
【図３】
0003561871.tif 000004
【図４】
0003561871.tif 000005
【図５】
0003561871.tif 000006
【図６】
0003561871.tif 000007
【図７】
0003561871.tif 000008
【図８】
0003561871.tif 000009
【図９】
0003561871.tif 000010
【図１０】
0003561871.tif 000011
【図１１】
0003561871.tif 000012